(57)【要約】【課題】照明ユニットの着脱が容易で、かつ確実に固定できる換気扇用グリルを提供することを目的とする。【解決手段】環形状を有する化粧板（３）と環形状における中央部（４）に設けられた照明ユニット（２）と中央部の周囲に設けられた吸込開口（５）と吸込開口の更に周囲に設けられた枠部（６）とを備えた換気扇用グリルであって、化粧板（３）は、照明ユニット（２）を着脱可能な着脱構造を備えた換気扇用グリル及び、この換気扇用グリルを備えた換気扇を提供する。【選択図】図１
2018105577.tif 000002
【特許請求の範囲】
【請求項１】
環形状を有する化粧板と前記環形状における中央部に設けられた照明ユニットと前記中央部の周囲に設けられた吸込開口と前記吸込開口の更に周囲に設けられた枠部とを備えた換気扇用グリルであって、
前記化粧板は、
前記照明ユニットを着脱可能な着脱構造を備えた換気扇用グリル。
【請求項２】
前記着脱構造として前記化粧板は、
前記環形状における中央部の開口の内周端部から内周方向に延設され前記照明ユニットの前記化粧板における裏面から正面方向への移動を規制する規制部を備えた請求項１記載の換気扇用グリル。
【請求項３】
前記照明ユニットは、
発光する照明部と、
前記照明部の発光方向に対して側方に前記照明部を制御する照明制御部と、を備えた請求項１または２に記載の換気扇用グリル。
【請求項４】
前記環形状における中央開口の端部から前記枠部に至る範囲の前記吸込開口上に制御配置部を備え、
前記照明制御部は、
前記制御配置部に設けた、請求項３に記載の換気扇用グリル。
【請求項５】
前記環形状における中央開口の端部から前記枠部に至る範囲の前記吸込開口上にセンサ配置部と、
前記センサ配置部に設けられるセンサと、を備えた請求項１から４のいずれかに記載の換気扇用グリル。
【請求項６】
前記センサ配置部は、
前記制御配置部に対して前記環形状における中央部を挟んだ対向位置に設けられた請求項５に記載の換気扇用グリル。
【請求項７】
前記照明ユニットの前記化粧板への固定は、
前記化粧板における裏面であって前記枠部上で行われる請求項１から６のいずれかに記載の換気扇用グリル。
【請求項８】
請求項１から７のいずれかの換気扇用グリルと空気を吸い込む送風機とを備えた換気扇であって、
前記送風機は当該送風機の回転軸を前記環形状の中央部からずらして配置した換気扇。
【請求項９】
前記回転軸は、
前記制御配置部とは異なる方向にずらして配置される請求項８に記載の換気扇。
【請求項１０】
前記回転軸は、
前記センサ配置部とは異なる方向にずらして配置される請求項８または９に記載の換気扇。
【発明の詳細な説明】
【技術分野】
【０００１】
本発明は、建物の天井や内壁に設置され、排気により室内空気を換気する換気扇用グリルに関するものである。
【背景技術】
【０００２】
従来、この種の換気扇用グリルとして、照明ユニット一体型のグリルが知られている（例えば、特許文献１参照）。
【０００３】
図８に示すように、従来の換気扇用グリルは、照明ユニットと一体として構成されるものであった。そして照明ユニット自体は、換気扇用グリルに強固にネジ止めされ、すなわち着脱不能を前提とするものであった。
【先行技術文献】
【特許文献】
【０００４】
【特許文献１】米国特許出願公開第２０１３／００８８８５５号明細書
【発明の概要】
【発明が解決しようとする課題】
【０００５】
このような従来の照明付き換気扇用グリルは、照明部のみを取り外すことができない、又は取り外すのに時間を要した。換気扇用グリルを清掃する際、照明部が外せないため、水洗いで汚れを落とす事が出来ないという課題があった。
【０００６】
また、照明部の寿命や故障によって交換を要する場合には、本来交換する必要のない照明部以外の部分も交換する必要が生じる。このため、環境への負担が大きく、交換に時間を要するためユーザーへの負担も大きくなるという課題があった。
【０００７】
そこで本発明は、上記従来の課題を解決するものであり、ユーザーや環境への負担を掛けることなく、容易でかつ確実に固定することのできる、照明ユニット付き換気扇用グリルを提供することを目的とする。
【課題を解決するための手段】
【０００８】
そして、この目的を達成するために、本発明に係る換気扇用グリルは、環形状を有する化粧板と前記環形状における中央部に設けられた照明ユニットと、前記中央部の周囲に設けられた吸込開口と、前記吸込開口の更に周囲に設けられた枠部とを備えた換気扇用グリルであって、前記化粧板は、前記照明ユニットを着脱可能な着脱構造を備えた構成としたものであり、これにより所期の目的を達成するものである。
【発明の効果】
【０００９】
本発明によれば、照明ユニットの着脱が容易で、かつ確実に固定できる換気扇用グリルを提供することができる。
【図面の簡単な説明】
【００１０】
【図１】本発明に係る換気扇用グリルの斜視分解図。
【図２】本発明に係る換気扇用グリルの吸込正面図。
【図３】本発明に係る換気扇用グリルの吸込裏面図。
【図４】本発明に係る換気扇用グリルの断面図。
【図５】本発明に係る換気扇用グリルのセンサ搭載図。
【図６】本発明に係る換気扇用グリルと送風機の位置関係を示す正面図。
【図７】本発明に係る換気扇用グリルと送風機の位置関係を示す側面断面図。
【図８】従来の換気扇用グリルを示す分解図。
【発明を実施するための形態】
【００１１】
以下、添付図面を参照して本発明の実施の形態につき説明し、本発明の理解に供する。
なお、以下の実施の形態は、本発明を具体化した一例であって、本発明の技術的範囲を限定するものではない。また、全図面を通して、同一の部位については同一の符号を付して二度目以降の説明を省略している。
（実施の形態１）
以下、図１、図２、図３を参照して、本発明の実施の形態１に係る換気扇用グリル及び照明ユニットについて説明する。なお図１は、本発明に係る換気扇用グリル１の斜視分解図、図２は換気扇用グリル１の正面図、図３は換気扇用グリル１の裏面図である。
【００１２】
換気扇用グリル１は、送風機等を備える換気扇本体において、ユーザーに曝される面に配置される。
【００１３】
換気扇用グリル１は、図１に示すように、照明ユニット２と化粧板３と中央部４の周囲に設けられた吸込開口５と吸込開口５の更に周囲に設けられた枠部６とを備えている。
【００１４】
照明ユニット２は、照明部２ａと、照明制御部２ｂとを備える。
【００１５】
照明部２ａは、矩形の板形状を有しており、内部にＬＥＤ等の発光体を備える。照明部２ａは、発光体が給電により発光することで、板形状における平面部が照明として機能する。つまり、照明部２ａにおける板形状の平面部に対して垂直方向が発光方向となる。
【００１６】
照明制御部２ｂは、内部に照明部２ａ内の発光体の輝度、明度、オン・オフ等を制御するための制御基板を備えている。照明制御部２ｂは、直方形の板形状を有しており、当該板形状における平面部が照明部２ａにおける板形状の平面部と平行に配置される。照明制御部２ｂは、照明部２ａの発光方向に対して側方に配置される。
【００１７】
化粧板３は、環状矩形形状を有する。環状矩形形状とは、外周が矩形であり、内周の中央近傍である中央部４が開口である形状である。中央部４は、矩形の開口であり、開口における内周は、照明部２ａの外周とほぼ一致する。つまり、中央部４は、照明部２ａを配置可能である。化粧板３は、さらに吸込開口５と、枠部６とを備える。化粧板３は、ユーザーの目に曝される面を正面とし、送風機が配置される換気扇本体側に位置する面を裏面とする。
【００１８】
吸込開口５は、中央部４のさらに外周側周囲に、中央部４を囲うように設けられる。吸込開口５は、空気が通過可能である開口であり、当該開口には複数のスリットが設けられる。化粧板３を構成する吸込開口５は、着脱構造を備える。
【００１９】
着脱構造は、一例として、化粧板３の環形状における中央部４の開口の内周端部７から内周方向に延設された平板として形成されている規制部８を指す。
【００２０】
規制部８は、照明ユニット２の化粧板３における裏面から正面方向への移動を規制する構成となっている。つまり、中央部４に裏面から照明ユニット２を配置すると、規制部８は、照明ユニット２の裏面から正面側への移動を規制するため、照明ユニット２が化粧板３と略同一平面に支持される。照明ユニット２は、化粧板３と略同一平面上に支持され、さらに例えば必要に応じて裏面から正面方向にネジ止めされるため、化粧板３を換気扇本体から外すことで、容易に照明ユニット２を着脱可能となる。
【００２１】
吸込開口５は、換気扇用グリル１の空気の流れ方向における一端面に設けられている。
【００２２】
枠部６は、吸込開口５の更に外周側周囲に、吸込開口５を囲うように設けられる。枠部６は、化粧板３の外郭を構成する。
【００２３】
照明ユニット２は、図２に示すように、換気扇用グリル１の環形状における中央部４の開口から、照明部２ａのみが換気扇用グリル１の正面側から視認できるように配置されている。なお、換気扇用グリル１の環形状における中央部４とは、厳密に中央である必要はない。照明ユニット２が化粧板３に備えられた規制部８に規制され、照明部２ａのみが換気扇用グリル１の正面側から視認できる構成であればよい。
【００２４】
照明制御部２ｂは、図３に示すように、換気扇用グリル１の裏面に設けられる。さらに詳細には、照明制御部２ｂは、制御配置部１１上に設けられる。ここで制御配置部１１は、中央開口の端部１０から、枠部６に至る範囲の吸込開口５上の位置を指す。
【００２５】
つまり照明ユニット２は、照明部２ａが換気扇用グリル１に設けられた規制部８によって化粧板３の裏面から正面への移動を規制され、照明制御部２ｂが制御配置部１１上に設けられる。これによって、照明部２ａのみを正面側に露出させて、照明ユニット２の位置を規制すると共に、水滴付着や、人の接触から照明制御部２ｂを保護している。
【００２６】
また、照明制御部２ｂは、周囲が吸込開口５であるため、空気により冷却され、制御動作を安定させることができる。
【００２７】
また、照明部２ａの背面には照明制御部２ｂが位置しないため、照明部２ａの発熱を換気扇本体側に効率よく逃がすことができ、照明部２ａの長寿命化と安定動作に寄与する。
【００２８】
図４は、換気扇用グリル１の断面図である。図４を用いて照明ユニット２と化粧板３との接続状態について詳しく説明する。図４に示す通り、照明ユニット２の照明部２ａは化粧板３から裏面方向に突出した構成となっており、照明制御部２ｂは吸込開口５上の一部に設けられた制御配置部１１に接して配置される。配置の際には、照明制御部２ｂは化粧板３の裏面からさらに裏面方向には露出させない。
【００２９】
なお照明部２ａは、必ずしも化粧板３から突出している必要はなく、照明部２ａからの発光を視認できる位置に配置されていればよい。また、照明ユニット２の固定は、化粧板３における裏面であって、枠部６上で行われる構成となっている。
【００３０】
続いて図５を用いて、センサ２１を配置する場合について説明する。センサ２１は例えば人感センサであり、人の動きを察知して換気扇を運転させるセンサである。センサ２１は化粧板３上の、中央開口の端部１０から枠部６に至る範囲の吸込開口５上に設けられたセンサ配置部２０上に配置される。センサ配置部２０は、制御配置部１１に対して、中央部４を挟んだ対向位置に設けられる。
【００３１】
センサ２１をセンサ配置部２０に設けることで、照明制御部２ｂと同様に冷却効果を得ることができる。
【００３２】
また、センサ２１は発熱部となる照明部２ａや照明制御部２ｂと離れており、さらに空気の流れ方向において発熱部の下流には位置しない。よって、熱の影響によるセンシング能力の低下を防止することができ、さらに温度センサを利用する場合であれば正確なセンシングが可能となる。
【００３３】
また、センサ２１を対向位置に設けることで、正面からの美観を高めることができる。
【００３４】
なおセンサ２１は、必ずしも人感センサである必要はなく、換気扇や照明等の運転をセンシングによりコントロールするためのセンサであれば、あらゆるセンサが対象となる。
【００３５】
続いて、図６及び図７を用いて換気扇用グリル１と、空気を吸い込む送風機３０を備えた換気扇本体４０との配置関係について説明する。
【００３６】
換気扇本体４０は、一面が吸気口として機能する開口を有する箱型形状である。換気扇本体４０は、吸気口に換気扇用グリル１が配置される。換気扇本体４０は、箱型形状における側面に、排気口４１を備える。また、換気扇本体４０は、箱型形状における内部に、吸気口から排気口４１に空気を導く送風機３０を備える。
【００３７】
送風機３０は、例えばスクロールケーシングとシロッコファンとからなる遠心送風機であり、当該送風機３０を構成するファンの回転軸３１が吸気口の平面に対して垂直に配置される。回転軸３１は、中央部４からずらして配置されている。厳密に言うと、回転軸３１は、中央部４のさらに中心からずらして配置されている。回転軸３１をずらす方向は、制御配置部とは異なる方向や、あるいはセンサ配置部とは異なる方向が好ましい。
【００３８】
これにより、送風機３０が空気を吸い込み易くなり、換気扇の性能を高めることが可能になる。
【産業上の利用可能性】
【００３９】
本発明に係る換気扇用グリル及び換気扇は、建物の天井等に設置される換気設備に用いることが可能である。
【符号の説明】
【００４０】
１    換気扇用グリル
２    照明ユニット
２ａ    照明部
２ｂ    照明制御部
３    化粧板
４    中央部
５    吸込開口
６    枠部
７    内周端部
８    規制部
１０    中央開口の端部
１１    制御配置部
２０    センサ配置部
２１    センサ
３０    送風機
３１    回転軸
【図１】
2018105577.tif 000003
【図２】
2018105577.tif 000004
【図３】
2018105577.tif 000005
【図４】
2018105577.tif 000006
【図５】
2018105577.tif 000007
【図６】
2018105577.tif 000008
【図７】
2018105577.tif 000009
【図８】
2018105577.tif 000010